(57)【特許請求の範囲】
【請求項１】
映像情報および音声情報のうちの少なくともひとつをＭＰＥＧトランスポートパケットから構成されるＭＰＥＧトランスポートストリームとして記録する音声／映像情報記録部を備え、
前記音声／映像情報記録部は、所定のＭＰＥＧトランスポートパケットの組をひとつの記録単位として扱い、複数の前記記録単位が連続したデータストリームを前記ＭＰＥＧトランスポートストリームとし、かつ前記記録単位の先頭のＭＰＥＧトランスポートパケットが前記記録単位の先頭であることを示す識別情報を含むように記録することを特徴とする音声／映像情報記録装置。
【請求項２】
前記識別情報は、トランスポート・プライオリティ・インディケータの値であることを特徴とする請求項１記載の音声／映像情報記録装置。
【請求項３】
記録されたＭＰＥＧトランスポートパケットを出力する音声／映像情報再生部を備え、
前記音声／映像情報再生部は、所定のＭＰＥＧトランスポートパケットの組をひとつの記録単位として扱い、前記記録単位の先頭のＭＰＥＧトランスポートパケットに前記記録単位の先頭であることを示す識別情報を含ませながら、複数の前記記録単位を連続して出力することを特徴とする音声／映像情報再生装置。
【請求項４】
前記識別情報は、トランスポート・プライオリティ・インディケータの所定値であることを特徴とする請求項３記載の音声／映像情報再生装置。
【請求項５】
映像情報および音声情報のうちの少なくともひとつをＭＰＥＧトランスポートパケットから構成されるＭＰＥＧトランスポートストリームとして記録する音声／映像情報記録方法であって、
所定のＭＰＥＧトランスポートパケットの組をひとつの記録単位として扱い、複数の前記記録単位が連続したデータストリームを前記ＭＰＥＧトランスポートストリームとし、かつ前記記録単位の先頭のＭＰＥＧトランスポートパケットが前記記録単位の先頭であることを示す識別情報を含むように記録することを特徴とする音声／映像情報記録方法。
【請求項６】
前記識別情報は、トランスポート・プライオリティ・インディケータの所定値であることを特徴とする請求項５記載の音声／映像情報記録方法。
【請求項７】
記録されたＭＰＥＧトランスポートパケットを出力する音声／映像情報再生方法であって、
所定のＭＰＥＧトランスポートパケットの組をひとつの記録単位として扱い、前記記録単位の先頭のＭＰＥＧトランスポートパケットに前記記録単位の先頭であることを示す識別情報を含ませながら、複数の前記記録単位を連続して出力することを特徴とする音声／映像情報再生方法。
【請求項８】
前記識別情報は、トランスポート・プライオリティ・インディケータの所定値であることを特徴とする請求項７記載の音声／映像情報再生方法。
【請求項９】
映像情報および音声情報のうちの少なくともひとつを含むＭＰＥＧトランスポートパケットを受信する音声／映像情報受信部を備え、
前記音声／映像情報受信部は、所定の前記受信したＭＰＥＧトランスポートパケットの組を記録単位とみなし、前記記録単位の先頭のＭＰＥＧトランスポートパケットに含まれる識別情報を検出し、前記識別情報により前記記録単位を識別することを特徴とする音声／映像情報処理装置。
【請求項１０】
前記識別情報は、トランスポート・プライオリティ・インディケータの所定値であることを特徴とする、請求項９記載の音声／映像情報記録方法。
【請求項１１】
映像情報および音声情報のうちの少なくともひとつを含むＭＰＥＧトランスポートパケットを受信する音声／映像情報処理方法であって、
所定の前記受信したＭＰＥＧトランスポートパケットの組を記録単位とみなし、前記記録単位の先頭のＭＰＥＧトランスポートパケットに含まれる識別情報を検出し、前記識別情報により前記記録単位を識別することを特徴とする音声／映像情報処理方法。
【請求項１２】
前記識別情報は、トランスポート・プライオリティ・インディケータの所定値であることを特徴とする、請求項１１に記載の音声／映像情報記録方法。
【請求項１３】
前記ＭＰＥＧトランスポートパケットには、それぞれ個別にタイミング情報が付加される、請求項１から２に記載の音声／映像情報記録装置。
【請求項１４】
前記ＭＰＥＧトランスポートパケットには、それぞれ個別にタイミング情報が付加される、請求項９から１０に記載の音声／映像情報処理装置。
【請求項１５】
前記ＭＰＥＧトランスポートパケットには、それぞれ個別にタイミング情報が付加される、請求項５から６に記載の音声／映像情報記録方法。
【請求項１６】
前記ＭＰＥＧトランスポートパケットには、それぞれ個別にタイミング情報が付加される、請求項１１から１２に記載の音声／映像情報処理方法。
【発明の詳細な説明】
【０００１】
【発明の属する技術分野】
本発明は、リアルタイムで映像信号及び音声信号を圧縮して光ディスク等の記録媒体へ記録する音声／映像情報記録装置および方法、ならびに記録媒体に記録された映像信号及び音声信号を伸長して再生する音声／映像情報再生装置および方法に関する。
【０００２】
【従来の技術】
映像データを低いビットレートで圧縮する方法として、ＭＰＥＧ２規格（ISO/IEC 13818-1）で規定されているシステムストリームがある。このシステムストリームとしては、プログラムストリーム、トランスポートストリーム、及びＰＥＳ（Packetized Elementary Stream）ストリームの３種類が規定されている。
【０００３】
一方、磁気テープに代わる記録媒体としては、相変化光ディスク（例えば、ＤＶＤ−ＲＡＭやＭＶＤＩＳＣ）や光磁気ディスク（ＭＯ）等の光ディスクが注目を浴びてきている。例えば、ＤＶＤ−ＲＡＭ上に映像を記録するための規格として、VIDEO RECORDING規格(DVD Specifications for Rewritable/Re-recordable Discs Part 3 VIDEO RECORDING Version 1.0 September 1999)がある。この規格は、ＤＶＤ−ＲＡＭディスクに対して、ＭＰＥＧ２規格のプログラムストリームから成る動画ファイルを記録再生するためのものである。
【０００４】
また、相変化光ディスクに対して、ISO/IEC 13818-1で規定されるＭＰＥＧ２のトランスポートストリームから成る動画ファイルを記録再生する場合もある。この場合、映像データは、ISO/IEC 13818-2で規定されるＭＰＥＧ２で圧縮され、音声データは、例えばISO/IEC 13818-7で規定されるＭＰＥＧ２−ＡＡＣ（Advanced Audio Cording）で圧縮される。
【０００５】
図３に、従来の相変化光ディスクを使ったトランスポートストリームのリアルタイム記録再生装置３００の構成図を示す。図３において、映像信号および音声信号の記録時は、映像信号入力部１００および音声信号入力部１０２から入力した信号を各々映像圧縮部１０１および音声圧縮部１０３で圧縮し、次にシステムエンコード部１０４においてトランスポートストリームを作成し、記録部１２０およびピックアップ１３０を経由して相変化光ディスク１３１へ書き込む。ここで、映像圧縮部１０１と、音声圧縮部１０３と、システムエンコード部１０４とでＭＰＥＧエンコーダ１７０が構成される。
【０００６】
映像信号および音声信号の再生時は、ピックアップ１３０および再生部１２１を経由して取り出したトランスポートストリームをシステムデコード部１１４で映像信号と音声信号に分離し、各々映像伸長部１１１および音声伸長部１１３を介して、映像表示部１１０および音声出力部１１２へ出力する。ここで、映像伸長部１１１と、音声伸長部１１３と、システムデコード部１１４とでＭＰＥＧデコーダ１７１が構成される。
【０００７】
映像信号および音声信号の記録時には、記録制御部１６１が、記録部１２０、連続データ領域検出部１６０、および論理ブロック管理部１６３の制御を行ない、記録を実施する。このとき、連続データ領域検出部１６０は、記録制御部１６１の指示に応じて、論理ブロック管理部１６３で管理されるセクタの使用状況を調べて、物理的に連続する空き領域を検出する。記録が完了する際に、トランスポートストリームからなる動画ファイルが作成される。
【０００８】
映像信号および音声信号の再生時には、再生制御部１６２が、再生部１２１の制御を行ない、再生を実施する。
【０００９】
記録された動画ファイルをＩＥＥＥ１３９４インターフェース部（１３９４ｉ／ｆ部）１４０経由のアイソクロナス（Isochronous）転送モードで外部に出力する場合、１３９４再生制御部１６４が再生部１２１を経由して読み出したトランスポートストリームに対して、出力タイミング生成部１４１で送出タイミングを算出し、算出された送出タイミングに応じて当該トランスポートストリームを１３９４ｉ／ｆ部１４０へ渡すことになる。
【００１０】
また、一方、外部から１３９４ｉ／ｆ部１４０を介してアイソクロナス転送モードで動画ファイルを入力する場合、記録制御部１６１が、記録部１２０、連続データ領域検出部１６０、および論理ブロック管理部１６３の制御を行い、記録を実施する。
【００１１】
図４は、相変化光ディスク１３１にリアルタイムで映像記録する場合の記録形態を示す図である。図４において、相変化光ディスク１３１は２ｋバイトのセクタから構成され、１６個のセクタを１つの論理ブロック（３２ｋバイト）として取り扱い、この論理ブロックごとに誤り訂正符号を付与して相変化光ディスク１３１へ記録するようになっている。
【００１２】
さらに、少なくとも所定時間分のデータサイズ（相変化光ディスク１３１に対して再生部１２１が読み出しを行う際の最大読み込みレートで、例えば０．５秒分のデータ）を有する物理的に連続する論理ブロックを１つの連続データ領域として確保し、この領域へ、０．４〜１秒分のＭＰＥＧトランスポートストリームからなる単位ビデオパケットであるムービー・オブジェクト・ユニット（Movie Object Unit：以下、「ＭＯＢＵ」という）を順に記録する。
【００１３】
１つのＭＯＢＵは、１８８バイト単位のＭＰＥＧトランスポートストリームの下位階層であるトランスポートパケットから構成される。トランスポートパケットは、ビデオ圧縮データが格納されたビデオ・トランスポートパケット（Ｖ＿ＴＳＰ）と、オーディオ圧縮データが格納されたオーディオ・トランスポートパケット（Ａ＿ＴＳＰ）と、プログラム・アソシエーション・テーブル・トランスポートパケット（ＰＡＴ＿ＴＳＰ）と、プログラム・マップ・テーブル・トランスポートパケット（ＰＭＴ＿ＴＳＰ）との４種類から構成されている。
【００１４】
また、１つのＭＯＢＵには、対応する時間のＶ＿ＴＳＰが全て含まれる。さらに、１つのＭＯＢＵには、Ｔ−ＳＴＤ（トランスポートストリーム・システム・ターゲットデコーダ）を満足するためにタイミング的に必要となる音声フレームを含むＡ＿ＴＳＰが全て含まれる。すなわち、ＭＯＢＵ内で音声フレームが完結する。また、１つのＭＯＢＵのデータサイズは、動画が可変ビットレートであれば、最大記録再生レート以下の範囲で変動する。一方、動画が固定ビットレートであれば、ＭＯＢＵのデータサイズはほぼ一定である。
【００１５】
図５は、Ｖ＿ＴＳＰ、Ａ＿ＴＳＰ、ＰＡＴ＿ＴＳＰ、およびＰＭＴ＿ＴＳＰの詳細を示す図である。図５に示すように、Ｖ＿ＴＳＰは、トランスポートパケットヘッダとビデオデータから構成され、Ａ＿ＴＳＰは、トランスポートパケットヘッダとオーディオデータから構成され、ＰＡＴ＿ＴＳＰは、主にトランスポートパケットヘッダおよびプログラム・アソシエーション・テーブルから構成され、ＰＭＴ＿ＴＳＰは、主にトランスポートパケットヘッダおよびプログラム・マップ・テーブルから構成される。
【００１６】
Ｖ＿ＴＳＰ、Ａ＿ＴＳＰ、ＰＡＴ＿ＴＳＰ、およびＰＭＴ＿ＴＳＰの４つは、トランスポートパケットヘッダ内のＰＩＤ（Packet ID）で識別される。例えば、図５に示すように、Ｖ＿ＴＳＰにはＰＩＤ＝“０ｘ００２０”、Ａ＿ＴＳＰはＰＩＤ＝“０ｘ００２１”、ＰＡＴ＿ＴＳＰはＰＩＤ＝“０ｘ００００”、ＰＭＴ＿ＴＳＰはＰＩＤ＝“０ｘ００３０”を検出することにより識別される。
【００１７】
ここで、Ｖ＿ＴＳＰおよびＡ＿ＴＳＰ用のＰＩＤの割り当て状況は、ＰＭＴ＿ＴＳＰ内のプログラム・マップ・テーブルに記録される。なお、ＰＡＴ＿ＴＳＰ用のＰＩＤは“０ｘ００００”の固定値をとる。
【００１８】
図３に示す情報記録再生装置の連続データ領域検出部１６０は、１つの連続データ領域の残りが少なくなった時点で、次の連続データ領域の再検出を行なう。そして、１つの連続データ領域が一杯になると、次の連続データ領域に書き込みを行なう。
【００１９】
図６は、情報記録再生装置間で動画ファイルをダビングする場合の接続形態を示す図である。図６において、一方の情報記録再生装置５０１と他方の情報記録再生装置５０２とは、ＩＥＥＥ１３９４インターフェースケーブル（１３９４ｉ／ｆケーブル）５０３を使用して接続される。情報記録再生装置５０１において記録された動画ファイルは、内部の１３９４ｉ／ｆ部１４０からＩＥＥＥ１３９４インターフェースケーブル５０３を介して情報記録再生装置５０２の１３９４ｉ／ｆ部１４０へと、ＭＰＥＧトランスポートストリーム伝送用のアイソクロナス転送モードで伝送され、受信側の情報記録再生装置５０２において動画ファイルとして記録される。
【００２０】
【発明が解決しようとする課題】
上記のように、従来の情報記録再生装置間で、記録された動画ファイルを、１３９４ｉ／ｆケーブル５０３を介してダビングする場合、受信側の情報記録再生装置５０２では、ＭＯＢＵの境界を判定するために、少なくとも連続する３個のトランスポートパケット（ＰＡＴ＿ＴＳＰ、ＰＭＴ＿ＴＳＰ、およびＶ＿ＴＳＰ）の組をチェックした後、さらに３個目のパケットがＶ＿ＴＳＰであり、そのパケットがシーケンスヘッダを有するかどうかを確認する必要があり、判定処理が複雑化するという問題があった。
【００２１】
また、トランスポートストリームを音声（Ａ＿ＴＳＰ）のみから構成する場合、例えば約１秒分に相当する個定数の音声フレームをＭＯＢＵに対応する記録単位として記録する。このようなストリームを同様にダビングする場合、受信側の情報記録再生装置５０２では、ＭＯＢＵの境界を判定するために、少なくとも連続する３個のトランスポートパケット（ＰＡＴ＿ＴＳＰ、ＰＭＴ＿ＴＳＰ、およびＡ＿ＴＳＰ）の組をチェックした後、さらに３個目のパケットがＡ＿ＴＳＰであり、そのパケットが音声フレームの先頭であるかどうかを確認する必要があり、やはり判定処理が複雑化していた。加えて、様々な音声圧縮フォーマット（ＡＡＣの他に、例えばＭＰＥＧオーディオ、ドルビーＡＣ３）毎にフレーム先頭のデータ構造が異なるので、音声フレームの先頭か否かの判定処理内容を音声圧縮フォーマット毎に切り換える必要があり、一層複雑化するという問題があった。
【００２２】
本発明は、上記問題点に鑑みてなされたものであり、その目的は、複数の記録単位から構成される動画ファイルをＩＥＥＥ１３９４のアイソクロナス伝送により装置間でダビングする場合、受信側で記録単位であるＭＯＢＵの境界を容易に検出でき、送信側が保持していたＭＯＢＵ毎の管理情報を受信側で容易に復元可能にした情報記録装置および方法、ならびに情報再生装置および方法を提供することにある。
【００２３】
【課題を解決するための手段】
前記の目的を達成するため、本発明に係る音声／映像情報記録装置は、映像情報および音声情報のうちの少なくともひとつをＭＰＥＧトランスポートパケットから構成されるＭＰＥＧトランスポートストリームとして記録する音声／映像情報記録部を備え、音声／映像情報記録部は、所定のＭＰＥＧトランスポートパケットの組をひとつの記録単位として扱い、複数の記録単位が連続したデータストリームをＭＰＥＧトランスポートストリームとし、かつ記録単位の先頭のＭＰＥＧトランスポートパケットが記録単位の先頭であることを示す識別情報を含むように記録することを特徴とする。
【００２４】
本発明に係る音声／映像情報記録装置において、識別情報は、トランスポート・プライオリティ・インディケータの値であることが好ましい。
【００２５】
前記の目的を達成するため、本発明に係る音声／映像情報再生装置は、記録されたＭＰＥＧトランスポートパケットを出力する音声／映像情報再生部を備え、音声／映像情報再生部は、所定のＭＰＥＧトランスポートパケットの組をひとつの記録単位として扱い、記録単位の先頭のＭＰＥＧトランスポートパケットに記録単位の先頭であることを示す識別情報を含ませながら、複数の記録単位を連続して出力することを特徴とする。
【００２６】
本発明に係る音声／映像情報再生装置において、識別情報は、トランスポート・プライオリティ・インディケータの値であることが好ましい。
【００２７】
前記の目的を達成するため、本発明に係る音声／映像情報記録方法は、映像情報および音声情報のうちの少なくともひとつをＭＰＥＧトランスポートパケットから構成されるＭＰＥＧトランスポートストリームとして記録する音声／映像情報記録方法であって、所定のＭＰＥＧトランスポートパケットの組をひとつの記録単位として扱い、複数の記録単位が連続したデータストリームをＭＰＥＧトランスポートストリームとし、かつ記録単位の先頭のＭＰＥＧトランスポートパケットが記録単位の先頭であることを示す識別情報を含むように記録することを特徴とする。
【００２８】
本発明に係る音声／映像情報記録方法において、識別情報は、トランスポート・プライオリティ・インディケータの値であることが好ましい。
【００２９】
前記の目的を達成するため、本発明に係る音声／映像情報再生方法は、記録されたＭＰＥＧトランスポートパケットを出力する音声／映像情報再生方法であって、所定のＭＰＥＧトランスポートパケットの組をひとつの記録単位として扱い、記録単位の先頭のＭＰＥＧトランスポートパケットに記録単位の先頭であることを示す識別情報を含ませながら、複数の記録単位を連続して出力することを特徴とする。
【００３０】
本発明に係る音声／映像情報再生方法において、識別情報は、トランスポート・プライオリティ・インディケータの値であることが好ましい。
前記の目的を達成するため、本発明に係る音声／映像情報処理装置は、映像情報および音声情報のうちの少なくともひとつを含むＭＰＥＧトランスポートパケットを受信する音声／映像情報受信部を備え、前記音声／映像情報受信部は、所定の前記受信したＭＰＥＧトランスポートパケットの組を記録単位とみなし、前記記録単位の先頭のＭＰＥＧトランスポートパケットに含まれる識別情報を検出し、前記識別情報により前記記録単位を識別することを特徴とする。
本発明に係る音声／映像情報記録方法において、前記識別情報は、トランスポート・プライオリティ・インディケータの所定値であることが好ましい。
前記の目的を達成するため、本発明に係る音声／映像情報処理方法は、映像情報および音声情報のうちの少なくともひとつを含むＭＰＥＧトランスポートパケットを受信する音声／映像情報処理方法であって、所定の前記受信したＭＰＥＧトランスポートパケットの組を記録単位とみなし、前記記録単位の先頭のＭＰＥＧトランスポートパケットに含まれる識別情報を検出し、前記識別情報により前記記録単位を識別することを特徴とする。
本発明に係る音声／映像情報記録方法において、前記識別情報は、トランスポート・プライオリティ・インディケータの所定値であることが好ましい。
本発明に係る音声／映像情報記録装置において、前記ＭＰＥＧトランスポートパケットには、それぞれ個別にタイミング情報が付加されることが好ましい。
本発明に係る音声／映像情報処理装置において、前記ＭＰＥＧトランスポートパケットには、それぞれ個別にタイミング情報が付加されることが好ましい。
本発明に係る音声／映像情報記録方法において、前記ＭＰＥＧトランスポートパケットには、それぞれ個別にタイミング情報が付加されることが好ましい。
本発明に係る音声／映像情報処理方法において、前記ＭＰＥＧトランスポートパケットには、それぞれ個別にタイミング情報が付加されることが好ましい。
【００３１】
上記の構成によれば、記録された動画ファイルをＩＥＥＥ１３９４のアイソクロナス伝送により装置間でダビングする場合、受信側で記録単位であるＭＯＢＵの境界を容易に検出することが可能になる。
【００３２】
【発明の実施の形態】
以下、本発明の実施の形態について、図面を参照しながら説明する。
【００３３】
図１は、本発明の一実施形態に係る情報記録再生装置２００の構成を示すブロック図である。本実施形態と図３に示す従来例とは、１３９４再生制御部１６４の処理内容が異なる。その他の部分の構成および機能は従来と同じであり、同一の符号を付して説明を省略する。
【００３４】
図２は、本実施形態における動画ファイルのデータ構造を示す図である。なお、図２において、ＭＯＢＵを構成するトランスポートパケットは、従来と同じである。しかし、本実施形態と従来例とが異なるのは、ＭＯＢＵの先頭のＰＡＴ＿ＴＳＰにおけるトランスポートパケットヘッダ内のトランスポート・プライオリティ・インディケータ・フィールドの値が「１」（トランスポート・プライオリティ＝１）になっていて、その他の位置のＰＡＴ＿ＴＳＰにおけるトランスポート・プライオリティ・インディケータ・フィールドの値は「０」（トランスポート・プライオリティ＝０）になっている点にある。
【００３５】
動画ファイルのダビング時は、トランスポート・プライオリティ・インディケータ・フィールドの値が「１」で且つＰＩＤが「０（ゼロ）」のトランスポートパケットを検出するだけで、ＭＯＢＵの境界が検出できる。これにより、受信側において、動画ファイル中から再生を容易にするための管理情報として各ＭＯＢＵの先頭アドレスを容易に作成可能になる。すなわち、トランスポートストリーム中の１個のトランスポートパケットヘッダのみを評価すれば良い。
【００３６】
なお、本実施形態では、トランスポートパケットヘッダ内のトランスポート・プライオリティ・インディケータを使用したが、それに代えて、ＭＯＢＵ先頭のトランスポートパケットのトランスポートパケットヘッダのみにおいて、トランスポート・プライベート・データ・フィールド内にＭＯＢＵの先頭を示すデータ（例えば、４バイトの文字「ＭＯＢＵ」）を挿入しても良い。
【００３７】
以上のように、本実施形態によれば、記録された動画ファイルをＩＥＥＥ１３９４のアイソクロナス伝送により装置間でダビングする場合、受信側で記録単位であるＭＯＢＵの境界を容易に検出することができるようになる。これにより、送信側が保持していたＭＯＢＵ毎の管理情報を受信側で容易に復元することが可能になる。
【００３８】
なお、本実施形態では、記録単位であるＭＯＢＵの先頭はＰＡＴ＿ＴＳＰから構成されるものとしたが、これ以外のＶ＿ＴＳＰやその他のトランスポートパケットであっても良い。
【００３９】
また、本実施形態では、記録単位であるＭＯＢＵがそのままＩＥＥＥ１３９４インターフェース部１４０から外部へ出力されるものとしたが、特定のＰＩＤを持つトランスポートパケットは出力時に除外されても良い。この場合、ＭＯＢＵ内において、その特定のＰＩＤを持たないトランスポートパケットのうち、先頭のトランスポートパケットのプライオリティ・インディケータの値が「１」になっていれば良い。
【００４０】
また、本実施形態では、記録時に、ＭＯＢＵ先頭のトランスポートパケットのプライオリティ・インディケータの値が「１」になっているものとしたが、記録時には常に、プライオリティ・インディケータの値を「０」にしておき、ＩＥＥＥ１３９４インターフェース部１４０から外部へ出力する直前に、その値を「１」に変更しても良い。
【００４１】
また、本実施形態では、記録された動画ファイルは１８８バイトのパケットからなるトランスポートストリームであるものとしたが、１８８バイト以外のデータサイズのパケットからなるデータストリームであっても良い。例えば、ＩＥＥＥ１３９４インターフェースで送信されるトランスポートパケットは、１８８バイトに４バイトのタイミング情報を付加した１９２バイトが１単位となっているが、このようなデータストリームを記録しても良い。ただし、この場合、ＩＥＥＥ１３９４インターフェース上で伝送可能なＭＰＥＧストリームはトランスポートストリームに限られるので、追加される４バイトは送信時に破棄する必要がある。また、記録される動画ファイルを構成するパケットは、１８８バイト以外のデータサイズのパケットからなるデータストリームであっても良いことは言うまでも無い。
【００４２】
また、本実施形態において、記憶媒体は相変化光ディスク（相変化光ディスク１３１）であるものとしたが、特にこれに限定するものではなく、例えばＤＶＤ−ＲＡＭ、ＭＯ（光磁気ディスク）、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体、磁気テープ、およびフラッシュメモリ等の半導体メモリであっても良い。
【００４３】
【発明の効果】
以上説明したように、本発明によれば、記録された動画ファイルをＩＥＥＥ１３９４のアイソクロナス伝送により装置間でダビングする場合、受信側で記録単位であるＭＯＢＵの境界を容易に検出でき、送信側が保持していたＭＯＢＵ毎の管理情報を受信側で容易に復元することが可能になる。
【図面の簡単な説明】
【図１】  本発明の一実施形態に係る音声／映像情報記録再生装置の機能構成を示すブロック図
【図２】  図１の情報記録再生装置における動画ファイルのデータ構造を示す図
【図３】  従来の音声／映像情報記録再生装置の機能構成を示すブロック図
【図４】  従来の情報記録再生装置における動画ファイルのデータ構造を示す図
【図５】  トランスポートパケットのデータ構造を示す図
【図６】  音声／映像情報記録再生装置間で動画ファイルをダビングする場合の接続形態を示す図
【符号の説明】
１００  映像信号入力部
１０１  映像圧縮部
１０２  音声信号入力部
１０３  音声圧縮部
１０４  システムエンコード部
１１０  映像表示部
１１１  映像伸長部
１１２  音声出力部
１１３  音声伸長部
１１４  システムデコード部
１２０  記録部
１２１  再生部
１３０  ピックアップ
１３１  相変化光ディスク
１４０  ＩＥＥＥ１３９４インターフェース部（１３９４ｉ／ｆ部）
１４１  出力タイミング生成部
１６０  連続データ領域検出部
１６１  記録制御部
１６２  再生制御部
１６３  論理ブロック管理部
１６４  １３９４再生制御部
１７０  ＭＰＥＧエンコーダ
１７１  ＭＰＥＧデコーダ
２００、３００  音声／映像情報記録再生装置
【図１】
0003849975.tif 000002
【図２】
0003849975.tif 000003
【図３】
0003849975.tif 000004
【図４】
0003849975.tif 000005
【図５】
0003849975.tif 000006
【図６】
0003849975.tif 000007